(57)【特許請求の範囲】
【請求項１】
被験者の胸部に保持されると共に電気回路が内設される本体ケースと、該本体ケースの胸部側である裏面に設けられるコモン電極と、該本体ケースから両側方に延出する一対のアーム部と、該一対のアーム部のそれぞれ先端部位に設けられる心電図波形検出電極と、該心電図波形検出電極からの信号に基づいて被験者の心電図波形を検出する心電図波形検出手段と、該心電図波形検出手段によって検出された心電図波形を送信する送信手段と、前記コモン電極及び心電図検出電極を胸部に接触させるように胸部側に押圧することによって心電図波形の検出、表示及び送信を開始させるスイッチ手段とによって構成されることを特徴とする心電計。
【請求項２】
前記スイッチ手段は、前記本体ケース前面に設けられた一対の押下スイッチによって構成され、該押下スイッチの両方が同時に所定時間押下された時に心電図波形の検出、表示及び送信を開始させることを特徴とする請求項１記載の心電計。
【請求項３】
前記スイッチ手段は、それぞれの電極に設けられた押下スイッチによって構成され、前記本体ケースが人体側に押圧され、すべての押下スイッチが所定時間押下された時に、心電図波形の検出、表示及び送信を開始させることを特徴とする請求項１記載の心電計。
【請求項４】
前記電極は、ノンペースト電極であることを特徴とする請求項１〜３のいずれか一つに記載の心電計。
【請求項５】
前記本体ケースは、吊下手段によって首から吊下されることを特徴とする請求項１〜４のいずれか一つに記載の心電計。
【請求項６】
前記吊下手段は、着脱手段によって前記本体ケースに対して着脱自在であることを特徴とする請求項５記載の心電計。
【発明の詳細な説明】
【０００１】
【発明が属する技術分野】
この発明は、被験者の胸部に吊下等によって保持され、被験者に発作が行った場合に、心電図を検出して、この心電図を表示、送信することのできる心電計に関する。
【０００２】
【従来の技術】
心電計は、大分類すると、１２誘導心電計と形態可能なホルター心電計に分類される。１２誘導心電計は、医療機関の整理検査室等で使用されている大型の心電計で、基本的には安静時の短期間の精密な心電図が測定される。
【０００３】
ホルター心電計は、携帯可能であることから、２４時間連続して心電図波形を検出することができるため、安静時以外の日常生活における心電図波形をデータとして得ることができる。しかしながら、測定データのほとんどは正常なデータであるために、なかなか異常心電図波形を捉えることができないという問題があった。このため、胸部の圧迫感や痛み等（イベント）の発生時に心電図を測定することのできるイベント式心電計が多く商品化されている。
【０００４】
【発明が解決しようする課題】
しかしながら、従来のイベント型心電計は、いずれも単極誘導であり、被験者は一方の電極を手に持ち、他方を胸部を開いて胸部にあてて測定する必要があった。このことは、胸部に圧迫感がある場合や胸部に痛みがある場合には、大変わずらわしい作業であり、特にイベントが発生した被験者が計測するには不可能に近い状態であった。
【０００５】
以上のことから、本発明は、被験者のイベント発生時に、容易に心電図波形の測定が可能であると共に、それを表示且つ送信することのできる心電計を提供することにある。
【０００６】
【課題を解決するための手段】
しかしながら、この発明は、被験者の胸部に保持されると共に電気回路が内設される本体ケースと、該本体ケースの胸部側である裏面に設けられるコモン電極と、該本体ケースから延出する少なくとも一対のアーム部と、該一対のアーム部のそれぞれの先端部位に設けられる心電図波形検出電極と、該心電図波形検出電極からの信号に基づいて被験者の心電図波形を検出する心電図波形検出手段と、該心電図波形検出手段によって検出された心電図波形を表示する表示手段と、該心電図波形検出手段によって検出された心電図波形を送信する送信手段と、前記コモン電極及び心電図検出電極を胸部に接触させるように胸部側に押圧することによって心電図波形の検出、表示及び送信を開始させるスイッチ手段とによって構成されることにある。
【０００７】
したがって、この発明によれば、イベント時に被験者が行う自然な動作、例えば胸部を抑える動作と同様の動作によって、心電計を押圧することでスイッチ手段を作動させることができ、また胸部に接触した電極によって心電図波形の検出を行うことができ、さらにその測定結果を表示し送信することができるものである。このため、簡単な動作で、イベント時の心電図波形を検出することができるものである。
【０００８】
また、前記スイッチ手段は、前記本体ケース前面に設けられた一対の押下スイッチによって構成され、該押下スイッチの両方が同時に所定時間押下された時に心電図波形の検出、表示及び送信を開始させることが望ましい。さらにまた、前記スイッチ手段は、それぞれの電極に設けられた押下スイッチによって構成され、前記本体ケースが人体側に押圧され、すべての押下スイッチが所定時間押下された時に、心電図波形の検出、表示及び送信を開始させるものであっても良い。
【０００９】
また、前記電極は、ノンペースト電極であることが望ましい。このノンペースト電極は、炭素繊維を含有した導電性の合成樹脂からなることが望ましく、これによってペーストを塗布しなくても人体と十分な導電性を確保できるものである。
【００１０】
前記本体ケースは、吊下手段によって首から吊下されることが望ましい。この吊下手段は、紐、鎖等からなるストラップである。また、前記吊下手段は、着脱手段によって、前記本体ケースに対して着脱自在であることが望ましい。これによって、吊下手段が被験者の首に絡まることを防止することができる。具体的には、この着脱手段は、前記ストラップの両端に設けられたマグネットと、前記本体ケースの側部の所定の位置に設けられた鉄、ステンレス等の磁性体からなる接着プレートとによって構成されることが望ましい。
【００１１】
【発明の実施の形態】
以下、この発明の実施の形態について図面により説明する。
【００１２】
図１（ａ），（ｂ）において、本願発明の実施の形態に係る心電計の一例が示される。この心電計１は、首からストラップ２によって吊下げられ、被験者の胸部に保持される本体ケース３と、この本体ケース３から両側方に延出する一対の電極アーム部４とによって構成される。また、前記本体ケース３の人体側側面３ａにはコモン電極５が設けられ、前記電極アーム部４の先端部分には心電図波形検出電極６が設けられる。一般に、心電図波形検出電極６は、一方が＋電極で、他方が−電極である。さらに、前記コモン電極５及び心電図波形検出電極６は、通電性を有する合成樹脂、例えば炭素繊維を含有する合成樹脂からなるノンペースト電極である。また、前記本体ケース３の前面３ｂには、ＬＣＤパネルからなる表示画面７と、一対の起動スイッチ８ａ，８ｂと、スピーカーが設置される音声表示部９とが設けられる。尚、この実施の形態において、音声表示部９は、ブザーであるが、音声による通知、警報等を行うようにしても良いものである。
【００１３】
また、前記ストラップ２は、紐、鎖等からなり、その先端部分には接着用のマグネット４０が設けられており、図４（ｂ）で示されるケース本体３の側部の所定の位置に設けられた鉄、ステンレス等の磁性体からなる接着プレート４１に前記マグネット４０が接着することによって前記ケース本体３を被験者の胸部に保持するようになっている。また、前記ストラップ３にある程度以上の力が加わった場合、前記マグネット４０が接着プレート４１から離脱するため、被験者の首吊り事故等を防止することができるものである。
【００１４】
前記本体ケース３の内部には、前記電極５，６によって検出された信号から心電図波形を検出し、表示し、且つ送信するための電気回路１０が設けられる。この電気回路における処理の一例を示したブロック図を図２（ａ）に示す。
【００１５】
このブロック図において、信号検出部１２は、前記電極５，６間に生じた電流値の変化、電圧値の変化、インピダンスの変化等に基づいてアナログの心電図波形信号を検出する。ＡＤ変換部１４は、このアナログの心電図波形信号を、演算部１６によって演算可能なようにデジタル信号に変換する。演算部１６は、図示しない中央演算処理装置（ＣＰＵ）、ランダムアクセルメモリ（ＲＡＭ）、読取専用メモリ（ＲＯＭ）、入出力ポート（Ｉ／Ｏ）等から少なくとも構成され、所定のプログラムに沿って入力信号を演算し且つ出力信号に変換すると共に、信号検出部１２、ＡＤ変換部１４、下記する表示部１８、送信部２０を制御するものである。さらに、この演算部１６において、心電図波形から脈拍数を検出するようにしても良いものである。また、正常時に、前記演算部１６によって演算されて求められた心電図波形を記憶部２４に蓄積し、イベント時に求められた心電図波形と比較して異常の有無、程度を演算できるようにしても良いものである。
【００１６】
さらに、スイッチ制御部（ＳＷ制御部）２２は、前記起動スイッチ８ａ，８ｂと接続され、これらの両方が所定時間、例えば５秒間投入されたことを判定して演算部１６を起動し、各種制御を実行するものである。
【００１７】
さらにまた、表示部１８は、前記演算部１６において演算された心電図波形を前記表示画面７に表示するもので、心電図波形だけでなく脈拍数等を表示するようにしても良いものである。
【００１８】
また、送信部２０は、前記演算部１６の指示によって心電図波形を送信するものである。この実施の形態では、被験者がペースメーカーを装着している場合もあることから、微弱電波によって図２（ｂ）に示された携帯電話等の送信装置３０に装着された受信部３２に一旦送信し、腰やバッグ内に保持された送信装置３０から、あらためて監視センター、主治医のコンピュータ等に送信される構成となっている。尚、その他の構成として、図示しない電池等の電源がある。
【００１９】
以上の構成の電気回路１０で実行される制御の一例を図３で示すステップ１００から開始されるフローチャートに従って説明すると、まずステップ１１０において、起動スイッチ８ａ（ＳＷ１）が押下されたか否か（ＯＮ？）が判定され、ステップ１２０において、起動スイッチ８ｂ（ＳＷ２）が押下されたか否か（ＯＮ？）が判定される。この判定において、両方の起動スイッチ８ａ，８ｂが同時に押下された場合のみ、ステップ１３０に進み、ステップ１３０において、両方の起動スイッチ８ａ，８ｂが押下された状態がｔ秒間（例えば、５秒間）継続しているか否かの判定が行われる。
【００２０】
以上のステップ１１０，１２０，１３０において、両方の起動スイッチ８ａ，８ｂがｔ秒間押下された場合にのみ、被験者が心電図波形の計測を希望していることが確認される。つまり、被験者にイベント（胸部の痛み等）が発生し、被験者が心電計１を胸部に押圧するように、本体ケース３上の起動スイッチ８ａ，８ｂを、例えば５秒間押さえる行為を為したと判定できるものである。
【００２１】
これによって、次なるステップ１４０に進んで、計測開始のブザーを鳴動させ、被験者に計測が開始されることを知らしめる。この実施の形態では、ブザー短音を２回鳴動させることで、計測の開始を被験者に知らせる。そして、ステップ１５０に進んで、所定時間（例えば、３０秒から３分）の間の心電図波形、又は心電図波形と脈拍数を検出し、ステップ１６０に進んで計測終了のブザーを鳴動させる。この場合、ブザー短音を７回鳴動させることで、計測の終了を被験者に知らせる。
【００２２】
そして、ステップ１７０に進んで、表示部１８を介して測定波形を表示画面７に所定時間表示する。これによって、測定波形を被験者が確認したい場合、胸部から心電計１を取り出して表示画面７を見ることができる。また、イベント発生時に、看護者が被験者の心電図波形を確認できる等の利点がある。
【００２３】
そして、ステップ１８０に進んで、測定波形を送信部２０を介して送信装置３０に送信する。これによって、監視センターや、主治医のところで、被験者にイベントが発生したことを確認できると共に、このときの心電図波形を認識できるので、適切な処置が可能となるものである。
【００２４】
以下、図４（ａ），（ｂ）において第２の実施の形態に係る心電計を説明するが、前述した実施の形態と同一の個所又は同一の効果を奏する個所には同一の符号を付してその説明を省略する。
【００２５】
第２の実施の形態に係る心電計１Ａは、電極５Ａ，６Ａのそれぞれに起動スイッチが一体に装着される。つまり、本体ケース３Ａを人体側に押圧することによって電極５Ａ，６Ａが人体と接触して押圧され、これによって電極５Ａ，６Ａが回路と接触して起動が開始されるようになっているものである。これによって、電極５Ａ，６Ａの構造が複雑になるものの、電極５Ａ，６Ａが人体と強く接触するように本体ケース３Ａを押さえることによって自動的に起動スイッチが入るために、イベント発生時の被験者の動作に制限がなくなるため、計測が容易となるものである。
【００２６】
また、この実施の形態では、起動スイッチを前記電極５Ａ，６Ａに一体に設けることによって、表示画面７Ａを大きくすることができるという効果もある。
【００２７】
【発明の効果】
以上説明したように、この発明によれば、心電計をストラップ等によって首から吊下して胸部に保持し、イベント発生時に胸部に保持された心電計を胸部側に押圧することによって心電図波形が計測されて、表示、送信されることから、被験者の自然な動作、言い換えると特別な動作なしに、心電図波形の検出・表示・送信が可能となるため、異常時の被験者の心電図波形を正確に把握することができるものである。
【００２８】
また、無駄な計測を省略できるので、電力消費を削減することができ、電源としての電池の寿命を延ばすことができる等の効果も有するものである。
【図面の簡単な説明】
【図１】（ａ）は本願発明の第１の実施の形態に係る心電計の正面図であり、（ｂ）はその背面図である。
【図２】（ａ）は本体ケースに収納される電気回路のブロック構成図であり、（ｂ）は送信装置の一例を示したブロック口製図である。
【図３】前記電気回路の制御例を示したフローチャート図である。
【図４】（ａ）は本願発明の第２の実施の形態に係る心電計の正面図であり、（ｂ）はその側面図である。
【符号の説明】
１、１Ａ  心電計
２  ストラップ
３，３Ａ  本体ケース
４  電極アーム部
５，５Ａ，６，６Ａ  電極
７  表示画面
８ａ，８ｂ  起動スイッチ
９  音声表示部
１０  電気回路
４０  マグネット
４１  接着プレート
【図１】
0003867168.tif 000002
【図２】
0003867168.tif 000003
【図３】
0003867168.tif 000004
【図４】
0003867168.tif 000005